(57)【要約】【課題】部品代、組み立てコスト、環境負荷、顧客作業工数を軽減しつつ、部品点数を増やさずに端子台を固定可能な端子台付き電子機器を実現する。【解決手段】電子機器の本体ケースの背面に端子台ユニットが取付けられる端子台ユニット付き電子機器において、電子機器の本体ケースの背面に設けられ背面に平行に上下方向に摺動自由に取付けられたレバー本体と、レバー本体の途中と本体ケースとの間に設けられ本体ケースに端子台ユニットを取付け時にレバー本体を上方に移動して取付け位置にクリック保持し本体ケースから端子台ユニットを取外し時にレバー本体を下方に移動して取外し位置にクリック保持するクリック保持手段と、レバー本体に設けられレバー本体の上方移動により本体ケースと端子台ユニットとを係止しレバー本体の下方移動により本体ケースと端子台ユニットとの係止を開放する係止手段と、を具備したことを特徴とする端子台付き電子機器である。【選択図】図１
2014038769.tif 000002
【特許請求の範囲】
【請求項１】
電子機器の本体ケースの背面に端子台ユニットが取付けられる端子台ユニット付き電子機器において、
前記電子機器の本体ケースの背面に設けられこの背面に平行に摺動自由に取付けられ前記本体ケースに端子台ユニットを取付け時には本体ケースの所定上方位置に配置され前記本体ケースから端子台ユニットを取外し時には本体ケースの所定下方位置に配置される板状のレバー本体と、
このレバー本体の一端に一端が接続され前記本体ケースに端子台ユニットを取付け時に前記端子台ユニットに設けられた係止孔に他端側が挿入され前記本体ケースから端子台ユニットを取外し時に前記係止孔から前記他端側が脱される係止突起と、
前記レバー本体の他端に一端が直交して接続された操作レバーと、
この操作レバーに設けられ前記本体ケースに端子台ユニットを取付け時に前記端子台ユニットに設けられた係止部に係合され前記本体ケースから端子台ユニットを取外し時に前記係止部から脱される係止溝と、
前記レバー本体の途中と前記本体ケースとの間に設けられ前記本体ケースに端子台ユニットを取付け時に前記レバー本体を上方に移動して取付け位置にクリック保持し前記本体ケースから端子台ユニットを取外し時に前記レバー本体を下方に移動して取外し位置にクリック保持するクリック保持手段と、
前記端子台ユニットの一端側に設けられ前記係止突起が前記本体ケースに端子台ユニットを取付け時に挿入され前記本体ケースから端子台ユニットを取外し時に前記係止突起が脱される係止孔と、
前記端子台ユニッの他端側に設けられ前記係止溝に前記本体ケースに端子台ユニットを取付け時に係合され前記本体ケースから端子台ユニットを取外し時に前記係止溝から脱される係止部と、
を具備したことを特徴とする端子台付き電子機器。
【請求項２】
前記クリック保持手段は、前記本体ケースに設けられ前記本体ケースの背面に平行な断面がほぼＴ字形状をなす第１の本体ケース側ストッパー突起と、
前記レバー本体の途中に一端側が接続され先端側に設けられた屈曲部が前記第１の本体ケース側ストッパー突起を弾性的に挟持し前記本体ケースに端子台ユニットを取付け時に前記屈曲部が前記第１の本体ケース側ストッパー突起のＴ字形状の横棒部分の両端側面をクリック保持し前記本体ケースから端子台ユニットを取外し時に前記屈曲部が前記第１の本体ケース側ストッパー突起のＴ字形状の縦棒部分の側面に位置する一対の挟持ばねと、
前記レバー本体の途中に一端が接続され他端が前記本体ケースから端子台ユニットを取外し時に前記第１の本体ケース側ストッパー突起のＴ字形状の横棒部分に突き当たる第１のレバー本体側ストッパーと、
を具備したことを特徴とする請求項１記載の端子台付き電子機器。
【請求項３】
前記レバー本体の他端側に一端が接続され他端が前記本体ケースから端子台ユニットを取外し時に前記本体ケースに設けられた第２の本体ケース側ストッパー突起に突き当たり前記第１のレバー本体側ストッパーと共同して前記レバー本体の取外し位置を規制する棒状の第２のレバー本体側ストッパー
を具備したことを特徴とする請求項２記載の端子台付き電子機器。
【請求項４】
前記係止突起の他端に設けられ前記端子台ユニットの前記本体ケースに取付け時に前記レバー本体が誤って取付け状態位置に配置されたままの場合に前記端子台ユニットに押圧されて前記レバー本体を下方に移動する第１の斜面部と、
前記操作レバーの他端側に設けられ前記端子台ユニットの前記本体ケースに取付け時に前記レバー本体が誤って取付け状態位置に配置されたままの場合に前記端子台ユニットに押圧されて前記レバー本体を下方に移動する第２の斜面部と、
を具備したことを特徴とする請求項１乃至請求項３の何れかに記載の端子台付き電子機器。
【発明の詳細な説明】
【技術分野】
【０００１】
本発明は、端子台付き電子機器に関するものである。
更に詳述すれば、部品代、組み立てコスト、環境負荷、顧客作業工数を軽減しつつ、部品点数を増やさずに端子台を固定可能な端子台付き電子機器に関するものである。
また、端子台の実装スペースを増加できることによる小型化が可能な端子台付き電子機器に関するものである。
【背景技術】
【０００２】
図１３は従来より一般に使用されている従来例の要部構成説明図で、（ａ）は組立斜視図、（ｂ）はカバーを開いた状態の組立斜視図、（ｃ）は端子台ユニットをケース本体から外した組立斜視図である。
図において、１は電子機器のケース本体である。２はケース本体１の背面１ａに取り付けられた端子台ユニットである。３はケース本体１の背面１ａに取り付けられ端子台ユニット２を覆うカバーである。
【０００３】
以上の構成において、端子台ユニット２には、上下に２箇所の端子台ユニットねじ２ａが取り付けられている。
ケース本体１に端子台ユニット２を取り付ける際には、ケース本体１の背面１ａの内側に設けられた壁に突き当たるまで押し込む。
ケース本体１に圧入配置されたケースインサートナット１ｂに、端子台ユニットねじ２ａをねじ止めする。
【０００４】
カバー３には、カバー３の下側にカバーねじ３ａが取り付けられている。
ケース本体１にカバー３を組み立てる際には、ケース本体１の背面の上側に設けられた軸１ｃを回転中心として、カバー３を下に下げれば閉じることが出来る。
カバー３は、端子台ユニット２に圧入配置された端子台インサートナット２ｂに、カバーねじ３ａによりねじ止めする。
【先行技術文献】
【特許文献】
【０００５】
【特許文献１】特開平０９−１９１１８９号公報
【特許文献２】特開２００２−２０３６１６号公報
【特許文献３】特開２００９−２１１８４９号公報
【発明の概要】
【発明が解決しようとする課題】
【０００６】
このような装置においては、以下の問題点がある。
（１）インサートナット１ｂ，２ｂを使用することによるコストの増加、環境負荷増加について。
ケース本体１にケースインサートナット１ｂを圧入する場合は、専用設備を用意しなければならない。この為、生産ラインの構築に投資が発生する。
製品を廃棄する段階のとき、樹脂材料単体であればリサイクルしやすいが、金属のインサートナット１ｂ，２ｂが圧入されていると容易に分解ができない為、リサイクルできないまま廃棄されることもあり、環境負荷が増加する。
端子台ユニット２側にも、端子台ユニットねじ２ａを入れなければならず、作業工数やコストの増加につながる。
【０００７】
（２）ねじ止めによる着脱工数の増加。
顧客側で端子台ユニット２の着脱作業を行なうとき、上下に端子台ユニットねじ２ａが付いているので、ドライバーを使って端子台ユニットねじ２ａを回すため、作業時間の増加につながる。また、装置の製造現場では製造コストへの影響が大きくなる。
【０００８】
（３）ねじ止めによる部品実装スペースの縮小。
最近の傾向である製品の小型化を行なう上で、ねじ止めを行った場合、ねじ止め箇所が必要になり、部品実装スペースがその分少なくなってしまう。
【０００９】
本発明の目的は、上記の課題を解決するもので、部品代、組み立てコスト、環境負荷、顧客作業工数を軽減しつつ、部品点数を増やさずに端子台を固定可能な端子台付き電子機器を提供することにある。
また、端子台の実装スペースを増加できることによる小型化が可能な端子台付き電子機器を提供することにある。
【課題を解決するための手段】
【００１０】
このような課題を達成するために、本発明では、請求項１の端子台付き電子機器においては、
電子機器の本体ケースの背面に端子台ユニットが取付けられる端子台ユニット付き電子機器において、前記電子機器の本体ケースの背面に設けられこの背面に平行に摺動自由に取付けられ前記本体ケースに端子台ユニットを取付け時には本体ケースの所定上方位置に配置され前記本体ケースから端子台ユニットを取外し時には本体ケースの所定下方位置に配置される板状のレバー本体と、このレバー本体の一端に一端が接続され前記本体ケースに端子台ユニットを取付け時に前記端子台ユニットに設けられた係止孔に他端側が挿入され前記本体ケースから端子台ユニットを取外し時に前記係止孔から前記他端側が脱される係止突起と、前記レバー本体の他端に一端が直交して接続された操作レバーと、この操作レバーに設けられ前記本体ケースに端子台ユニットを取付け時に前記端子台ユニットに設けられた係止部に係合され前記本体ケースから端子台ユニットを取外し時に前記係止部から脱される係止溝と、前記レバー本体の途中と前記本体ケースとの間に設けられ前記本体ケースに端子台ユニットを取付け時に前記レバー本体を上方に移動して取付け位置にクリック保持し前記本体ケースから端子台ユニットを取外し時に前記レバー本体を下方に移動して取外し位置にクリック保持するクリック保持手段と、前記端子台ユニットの一端側に設けられ前記係止突起が前記本体ケースに端子台ユニットを取付け時に挿入され前記本体ケースから端子台ユニットを取外し時に前記係止突起が脱される係止孔と、前記端子台ユニッの他端側に設けられ前記係止溝に前記本体ケースに端子台ユニットを取付け時に係合され前記本体ケースから端子台ユニットを取外し時に前記係止溝から脱される係止部と、を具備したことを特徴とする。
【００１１】
本発明の請求項２の端子台付き電子機器においては、請求項１記載の端子台付き電子機器において、
前記クリック保持手段は、前記本体ケースに設けられ前記本体ケースの背面に平行な断面がほぼＴ字形状をなす第１の本体ケース側ストッパー突起と、前記レバー本体の途中に一端側が接続され先端側に設けられた屈曲部が前記第１の本体ケース側ストッパー突起を弾性的に挟持し前記本体ケースに端子台ユニットを取付け時に前記屈曲部が前記第１の本体ケース側ストッパー突起のＴ字形状の横棒部分の両端側面をクリック保持し前記本体ケースから端子台ユニットを取外し時に前記屈曲部が前記第１の本体ケース側ストッパー突起のＴ字形状の縦棒部分の側面に位置する一対の挟持ばねと、前記レバー本体の途中に一端が接続され他端が前記本体ケースから端子台ユニットを取外し時に前記第１の本体ケース側ストッパー突起のＴ字形状の横棒部分に突き当たる第１のレバー本体側ストッパーと、を具備したことを特徴とする。
【００１２】
本発明の請求項３の端子台付き電子機器においては、請求項２記載の端子台付き電子機器において、
前記レバー本体の他端側に一端が接続され他端が前記本体ケースから端子台ユニットを取外し時に前記本体ケースに設けられた第２の本体ケース側ストッパー突起に突き当たり前記第１のレバー本体側ストッパーと共同して前記レバー本体の取外し位置を規制する棒状の第２のレバー本体側ストッパーを具備したことを特徴とする。
【００１３】
本発明の請求項４の端子台付き電子機器においては、請求項１乃至請求項３の何れかに記載の端子台付き電子機器において、
前記係止突起の他端に設けられ前記端子台ユニットの前記本体ケースに取付け時に前記レバー本体が誤って取付け状態位置に配置されたままの場合に前記端子台ユニットに押圧されて前記レバー本体を下方に移動する第１の斜面部と、前記操作レバーの他端側に設けられ前記端子台ユニットの前記本体ケースに取付け時に前記レバー本体が誤って取付け状態位置に配置されたままの場合に前記端子台ユニットに押圧されて前記レバー本体を下方に移動する第２の斜面部と、を具備したことを特徴とする。
【発明の効果】
【００１４】
本発明の請求項１によれば、次のような効果がある。
ケース本体に着脱できる端子台ユニットにおいて、ケース本体への端子台ユニットの固定に必要だった上下のねじをなくすことができた。これにより以下の効果がある。
・コスト面での効果について。
端子台ユニットを固定する２箇所のねじをなくすことにより、本体ケースにねじ止め用のインサートナットを圧入する必要がなくなり、専用の圧入設備を用意する必要がなくなる。この為、生産ラインの構築への投資を低減できる端子台付き電子機器が得られる。
【００１５】
製品を廃棄する段階のとき、インサートナット(金属部品)が圧入されていない為、本体ケースの樹脂部品がリサイクルしやすく、環境負荷の低減につながる端子台付き電子機器が得られる。
端子台ユニット側のねじをなくすことができ、作業工数やコストの低減につながる端子台付き電子機器が得られる。
【００１６】
・機能面での効果について
ねじ止めをなくし、端子裏側のスペースを利用することが出来るので、本体ケース側の実装スペースを増加することができ、小型化や表示スペース、端子台ユニットのチャンネル数を増やすことができる端子台付き電子機器が得られる。
【００１７】
作業性を向上させた端子台ユニットには、本体ケースに回転嵌合を行い、本体ケースに端子台ユニットを取付ける形式の電子機器もあるが、その場合は、コネクタにピンが圧入されるタイプは、回転嵌合によりピンが曲がる恐れがあり、これを回避するために、ピン本数を減らさざるを得ず、実装密度が低下する。これに対し、本発明では、直線的にストレートに着脱できる為、小型でピン数の多いコネクタが使用でき、実装密度の向上に役立つ端子台付き電子機器が得られる。
１個のレバーユニットで、端子台ユニットの上下の２箇所をロックできるので、部品点数の低減、顧客側の作業軽減が出来る端子台付き電子機器が得られる。
【００１８】
本発明の請求項２によれば、次のような効果がある。
クリック保持手段が設けられたので、レバー本体の取付け時と取外し時の上下移動のクリック保持動作が、簡潔な構成により確実に出来る端子台付き電子機器が得られる。
【００１９】
本発明の請求項３によれば、次のような効果がある。
第２のレバー本体側ストッパーが設けられたので、第１のレバー本体側ストッパーと共同して、取付け時のレバー本体の取付け時の取付け位置をより確実に規制出来、本体ケースへの端子台ユニットの取付けが確実容易に出来る端子台付き電子機器が得られる。
【００２０】
本発明の請求項４によれば、次のような効果がある。
第１の斜面部と第２の斜面部とが設けられたので、レバー本体部分が、誤ってロック位置に配置されたままでも、端子台ユニットを本体ケースに取付けても、オートロック機構となっているので、本体ケースと端子台ユニットとの取付け機構が破損しない安全機構付きの端子台付き電子機器が得られる。
【図面の簡単な説明】
【００２１】
【図１】本発明の一実施例の要部構成説明図である。
【図２】図１の部品図説明図である。
【図３】図１の部品図説明図である。
【図４】図１の部品図説明図である。
【図５】図１の部品図説明図である。
【図６】図１の部品図説明図である。
【図７】図１の部品図説明図である。
【図８】図１の部品図説明図である。
【図９】図１のロック状態の動作説明図である。
【図１０】図９の要部詳細説明図である。
【図１１】図１のアンロック状態の動作説明図である。
【図１２】図１のオートロックの動作説明図明図である。
【図１３】従来より一般に使用されている従来例の要部構成説明図である。
【発明を実施するための形態】
【００２２】
以下本発明を図面を用いて詳細に説明する。
図１は本発明の一実施例の要部構成説明図で、（ａ）は組立斜視図、（ｂ）はカバーを開いた状態の組立斜視図、（ｃ）は端子台ユニットをケース本体から外した組立斜視図である。
【００２３】
図２から図８は図１の部品図説明図で、図２はケース本体の三面図、図３はケース本体の断面図、図４はケース本体の斜視図、図５はフロントパネルの三面図、図６はフロントパネルの斜視図、図７はレバーユニットの三面図、図８はレバーユニットの斜視図である。
【００２４】
図９は、ロック状態の動作説明図で、（ａ）はケース本体とレバー本体間の動作説明図、（ｂ）は端子台ユニットの裏側から見た組立斜視図、（ｃ）は端子台ユニットの縦断面図である。
図１０は、図９の要部詳細説明図である。
【００２５】
図１１は、アンロック状態の動作説明図で、（ａ）はケース本体とレバー本体間の動作説明図、（ｂ）は端子台ユニットの裏側から見た組立斜視図、（ｃ）は端子台ユニットの縦断面図である。
【００２６】
図１２は、オートロックの動作説明図で、（ａ）はレバー本体が図の下方向に移動する動作説明図、（ｂ）はレバー本体が図の上方向に戻ろうとする動作説明図である。
図において、図１３と同一記号の構成は同一機能を表す。
以下、図１３との相違部分のみ説明する。
【００２７】
図１において、１１は電子機器のケース本体で、この場合は樹脂材よりなる。
端子台ユニット１２は、ケース本体１１の背面１１ａに取り付けられている。
端子台ユニット１２は、この場合は樹脂材よりなるフロントパネル１２１と、フロントパネル１２１に取り付けられた端子台本体１２２とを有する。
【００２８】
カバー１３は、ケース本体１１の背面１１ａに取り付けられ、端子台ユニット１２を覆い、この場合は樹脂材よりなる。
レバー本体２１は、ケース本体１１と端子台ユニット１２との間に設けられ、この場合は樹脂材よりなる。
【００２９】
ケース本体１１には、図１，図２，図３，図４に示す如く、第１の本体ケース側ストッパー突起１１１と第２の本体ケース側ストッパー突起１１２とが設けられている。
フロントパネル１２１には、図５，図６に示す如く、図の上側に係止孔１２１１と図の下側に係止部１２１２とが設けられている。係止孔１２１１と係止部１２１２との詳細は図５，図６では分かり難いが、後述する動作説明図の図９，図１１で詳細を示す。
【００３０】
次に、レバー本体２１は、図１，図７，図８に示す如く、電子機器の本体ケース１１の背面に設けられ、この背面に平行に摺動自由に取付けられ、本体ケース１１に端子台ユニット１２を取付け時には、本体ケース１１の所定上方位置に配置され、本体ケース１１から端子台ユニット１２を取外し時には、本体ケース１１の所定下方位置に配置され、板状をなす。
【００３１】
係止突起２２は、図１，図７，図８に示す如く、レバー本体２１の一端に一端が接続され、本体ケース１１に端子台ユニット１２を取付け時に、図９に示す如く、端子台ユニット１２に設けられた係止孔１２１１に他端側が挿入され、本体ケース１１から端子台ユニット１２を取外し時に、図１１に示す如く、係止孔１２１１から他端側が脱される。
操作レバー２３は、図１，図７，図８に示す如く、レバー本体２１の他端に一端が直交して接続されている。
【００３２】
係止溝２４は、図１，図７，図８に示す如く、この操作レバー２３に設けられ、本体ケース１１に端子台ユニット１２を取付け時に、図９に示す如く、端子台ユニット１２に設けられた係止部１２１２に係合され、本体ケース１１から端子台ユニット１２を取外し時に、図１１に示す如く、係止部１２１２から脱される。
【００３３】
クリック保持手段３１は、図１，図９，図１０，図１１に示す如く、レバー本体２１の途中と、本体ケース１１とに設けられ、本体ケース１１に端子台ユニット１２を取付け時に、図９に示す如く、レバー本体１１を上方に移動して取付け位置にクリック保持し、本体ケース１１から端子台ユニット１２を取外し時に、図１１に示す如く、レバー本体１１を下方に移動して取外し位置にクリック保持する。
【００３４】
この場合は、クリック保持手段３１は、図１，図９，図１０，図１１に示す如く、第１の本体ケース側ストッパー突起１１１と一対の挟持ばね２５と第１のレバー本体側ストッパー２６とを有する。
第１の本体ケース側ストッパー突起１１１は、図１，図２，図３，図４に示す如く、本体ケース１１に設けられ、本体ケース１１の背面に平行な断面がほぼＴ字形状をなす。
【００３５】
一対の挟持ばね２５は、図１，図７，図８に示す如く、レバー本体２１の途中に一端側が接続され先端側に設けられた屈曲部２５１が、第１の本体ケース側ストッパー突起１１１を弾性的に挟持し、本体ケース１１に端子台ユニット１２を取付け時に、図９に示す如く、屈曲部２５１が第１の本体ケース側ストッパー突起１１１のＴ字形状の横棒部分の両端側面をクリック保持し、本体ケース１１から端子台ユニット１２を取外し時に、図１１に示す如く、屈曲部２５１が第１の本体ケース側ストッパー突起１１１のＴ字形状の縦棒部分の側面に位置する。
【００３６】
第１のレバー本体側ストッパー２６は、図１，図７，図８に示す如く、レバー本体２１の途中に一端が接続され、他端が、本体ケース１１から端子台ユニット１２を取外し時に、図１１に示す如く、第１の本体ケース側ストッパー突起１１１のＴ字形状の横棒部分に突き当たる。
【００３７】
第２のレバー本体側ストッパー２７は、図１，図７，図８に示す如く、レバー本体２１の他端側に一端が接続され、他端が本体ケース１１から端子台ユニット１２を取外し時に、図９に示す如く、本体ケース１１に設けられた第２の本体ケース側ストッパー突起１１２に突き当たり、第１のレバー本体側ストッパー２６と共同して、レバー本体１１の取外し位置を規制し、棒状をなす。
【００３８】
なお、第２のレバー本体側ストッパー２７は、レバー本体１１の取外し位置を厳密に規制する必要の無い場合は、無くても良い。
【００３９】
第１の斜面部２８は、図１，図７，図８に示す如く、係止突起２２の他端に設けられ、端子台ユニット１２の本体ケース１１に取付け時に、レバー本体２１が誤って取付け状態位置に配置されたままの場合に、図１２に示す如く、端子台ユニット１２に押圧されて、レバー本体２１を図の下方に移動する。
第２の斜面部２９は、図１，図７，図８に示す如く、操作レバー２３の他端側に設けられ、端子台ユニット１２の本体ケース１１に取付け時に、レバー本体２１が誤って取付け状態位置に配置されたままの場合に、図１２に示す如く、端子台ユニット１２に押圧されて、レバー本体２１を図の下方に移動する。
【００４０】
次に、端子台ユニット１２には、図１に示す如く、カバー１３固定用の固定用ナット４１が、端子台ユニット１２に設けられた袋状の孔部分に配置され、固定用ナット４１が、端子台ユニット１２から飛び出さないように塞がれている為、インサートナットの使用は不要である。
【００４１】
カバー１３には、図１に示す如く、カバー１３の下側に、カバーねじ４５が取り付けられている。
カバー１３は、端子台ユニット１２の上部２箇所に設けられた穴に、カバー１３の上側を引っ掛け、下側を端子台ユニット１２の固定用ナット４１に、カバーねじ４５でねじ止めされている。
【００４２】
カバー１３は、操作レバー２３を隠すように構成されており、カバーねじ４５のねじをドライバーではずし、カバー１３を外さなければ操作レバー２３にアクセスできない状態となっている。
【００４３】
以上の構成において、先ず、本体ケース１１に端子台ユニット１２が取り付けられている状態（以下「ロック状態」と称する。）に付いて示す。
図９はロック状態の動作説明図で、図１０は図９の要部詳細説明図である。
【００４４】
図９，図１０に示す如く、本体ケース１１から端子台ユニット１２が外れるのを防止するために、図９（ａ）に示す如く、レバー本体２１は、本体ケース１１の背面に設けられ、この背面に平行に摺動自由に取付けられている。
この場合は、本体ケース１１の背面に設けられた摺動ガイド溝５１，５２，５３にレバー本体２１の部分箇所が摺動保持されて、レバー本体２１がケース１３側に外れるのが防止されている。
【００４５】
係止突起２２が係止孔１２１１に挿入され、係止溝２４が係止部１２１２に係合されている。
レバー本体２１が、端子台ユニット１２を、ロック状態で、図の下方向に移動しないように、図９（ａ）、図１０に示す如く、屈曲部２５１と第１の本体ケース側ストッパー突起１１１とが接触し、挟持ばね２５の弾性力により、図の上方向に力が発生し、保持される。
【００４６】
次に、本体ケース１１から端子台ユニット１２が取り外される状態（以下「アンロック状態」と称する。）に付いて示す。
【００４７】
図１１に示す如く、ケース本体１１に取り付けられたレバー本体２１を図の下方向に下げる。
屈曲部２５１が第１の本体ケース側ストッパー突起１１１に接触し、開いて行く。
第１のレバー本体側ストッパー２６が、第１の本体ケース側ストッパー突起１１１に当たると同時に、第２のレバー本体側ストッパー２７が、第２の本体ケース側ストッパー突起１１２に当たり、レバー本体２１の移動が止る。
【００４８】
図の下方向に移動したレバー本体２１は、屈曲部２５１が第１の本体ケース側ストッパー突起１１１のＴ字形状の縦棒部分の側面に位置し、レバー本体２１が図の上方向に行かないように、挟持ばね２５の弾性力により、図の下方向に力が発生し、保持される。
レバー本体２１と端子台ユニット２とのロック箇所である所の、係止突起２２と係止孔１２１１との係合と、係止溝２４と係止部１２１２の係止が開放される。
フロントパネル１２１の外周縁の図の上下部分を持ち、手前側に引く。
ケース本体１１から端子台ユニット１２を外すことができる。
【００４９】
次に、オートロック動作に付いて説明する。
図１２に示す如く、誤って、レバー本体２１をロック位置にした状態で、端子台ユニット１２をケース本体１１に取付けようとした場合にも、自動でロックをすることができる。
この機能により、レバー本体２１の位置を間違えたまま、入れても破損しない。
【００５０】
図１２（ａ）に示す如く、端子台ユニット１２をケース本体１１より外した状態で、レバー本体２１をロック位置にした場合。
端子台ユニット１２をケース本体１１に取り付けるときに、端子台ユニット１２の下側稜線と第２の斜面部２９とが接触し、レバー本体２１は、端子台ユニット１２に押され図の下側に下がる。
レバー本体２１は、下に下がると、屈曲部２５１と第１の本体ケース側ストッパー突起１１１とが接触し、図の上方向へ戻ろうとする力がレバー本体２１に働き続ける。
【００５１】
更に、図１２（ｂ）に示す如く、端子台ユニット１２を押し込んで行くと、端子台ユニット１２の上側稜線と第１の斜面部２８とが接触、レバー本体２１を押し下げる力が働く。
更に、端子台ユニット１２を押し込んでいくと、レバー本体２１の第２の斜面部２９と第１の斜面部２８が端子台ユニット１２に接触している部分がなくなった時点で、一対の挟持ばね２５の反発により、図の上方向へ戻ろうとする力が働き、レバー本体２１は、ロック位置に戻る。
【００５２】
この結果、ケース本体１１に着脱できる端子台ユニット１２において、ケース本体１１への端子台ユニット１２の固定に必要だった上下のねじをなくすことができた。これにより以下の効果がある。
・コスト面での効果について。
端子台ユニット１２を固定する２箇所のねじをなくすことにより、本体ケース１１にねじ止め用のインサートナット１ｂを圧入する必要がなくなり、専用の圧入設備を用意する必要がなくなる。この為、生産ラインの構築への投資を低減できる端子台付き電子機器が得られる。
【００５３】
製品を廃棄する段階のとき、インサートナット(金属部品)１ｂが圧入されていない為、本体ケース１１の樹脂部品がリサイクルしやすく、環境負荷の低減につながる端子台付き電子機器が得られる。
端子台ユニット１２側のねじ２ａをなくすことができ、作業工数やコストの低減につながる端子台付き電子機器が得られる。
【００５４】
・機能面での効果について
ねじ止めをなくし、端子裏側のスペースを利用することが出来るので、本体ケース１１側の実装スペースを増加することができ、小型化や表示スペース、端子台ユニット１２のチャンネル数を増やすことができる端子台付き電子機器が得られる。
【００５５】
作業性を向上させた端子台ユニットには、本体ケースに回転嵌合を行い、本体ケースに端子台ユニットを取付ける形式の電子機器もあるが、その場合は、コネクタにピンが圧入されるタイプでは、回転嵌合によりピンが曲がる恐れがあり、これを回避するために、ピン本数を減らさざるを得ず、実装密度が低下する。これに対し、本発明では、直線的にストレートに着脱できる為、小型でピン数の多いコネクタが使用でき、実装密度の向上に役立つ端子台付き電子機器が得られる。
１個のレバーのユニットで、端子台ユニット１２の上下の２箇所をロックできるので、部品点数の低減、顧客側の作業軽減が出来る端子台付き電子機器が得られる。
【００５６】
クリック保持手段３１が設けられたので、レバー本体２１の取付け時と取外し時の上下移動のクリック保持動作が、簡潔な構成により確実に出来る端子台付き電子機器が得られる。
【００５７】
第２のレバー本体側ストッパー２７が設けられたので、第１のレバー本体側ストッパー２６と共同して、取付け時のレバー本体２１の取付け時の取付け位置をより確実に規制出来、本体ケース１１への端子台ユニット１２の取付けが確実容易に出来る端子台付き電子機器が得られる。
【００５８】
第１の斜面部２８と第２の斜面部２９とが設けられたので、レバー本体２１の部分が、誤ってロック位置に配置されたままでも、端子台ユニット１２を本体ケース１１に取付けても、オートロック機構となっているので、本体ケース１１と端子台ユニット１２との取付け機構が破損しない安全機構付きの端子台付き電子機器が得られる。
【００５９】
カバー１３は感電からの作業者の安全確保の為、工具（ドライバー）を使用する構造にしなければならないが、カバー１３により、ロック時は、操作レバー２３が隠れる為、不用意に作業者が外すようなことは出来なくなっている。
【００６０】
固定用ナット４１は、手で着脱できる構造にした為、インサートナットの圧入工数の低減、分解ができる為、リサイクルは容易で環境負荷の軽減が可能である。
端子台ユニット１２をレバー本体２１での着脱とし、カバー１３をねじ１個での固定でレバー本体２１側へのアクセスも、工具でカバー１３を外さなければ出来ない構成としたことで、作業者は不用意にカバーをはずすことができない為、感電防止を考慮した最適な構成を達成できる。
【００６１】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００６２】
１        ケース本体
１ａ      背面
１ｂ      ケースインサートナット
１ｃ      軸
２        端子台ユニット
２ａ      端子台ユニットねじ
２ｂ      端子台インサートナット
３        カバー
３ａ      カバーねじ
１１      ケース本体
１１ａ    背面
１１１    第１の本体ケース側ストッパー突起
１１２    第２の本体ケース側ストッパー突起
１２      端子台ユニット
１２１    フロントパネル
１２１１  係止孔
１２１２  係止部
１２２    端子台本体
１３      カバー
２１      レバー本体
２２      係止突起
２３      操作レバー
２４      係止溝
２５      一対の挟持ばね
２５１    屈曲部
２６      第１のレバー本体側ストッパー
２７      第２のレバー本体側ストッパー
２８      第１の斜面部
２９      第２の斜面部
３１      クリック保持手段
４１      固定用ナット
４５      カバーねじ
５１      摺動ガイド溝
５２      摺動ガイド溝
５３      摺動ガイド溝
【図１】
2014038769.tif 000003
【図２】
2014038769.tif 000004
【図４】
2014038769.tif 000005
【図５】
2014038769.tif 000006
【図６】
2014038769.tif 000007
【図７】
2014038769.tif 000008
【図８】
2014038769.tif 000009
【図９】
2014038769.tif 000010
【図１０】
2014038769.tif 000011
【図１１】
2014038769.tif 000012
【図１２】
2014038769.tif 000013
【図１３】
2014038769.tif 000014
【図３】
2014038769.tif 000015